(57)【特許請求の範囲】
【請求項１】
歌唱練習を行うための複数の項目を含むボイストレーニング機能を有するカラオケ装置であって、
楽曲の演奏に合わせて歌唱者がカラオケ歌唱を行った際に得られる歌唱音声に基づいて、当該歌唱者の歌唱に関する特徴を示す特徴情報を取得する取得部と、
取得された前記特徴情報を、当該歌唱者を示す歌唱者情報に関連付けて記憶部に記憶させる第１の記憶処理部と、
前記記憶部に記憶されている歌唱者情報が示す歌唱者が前記ボイストレーニング機能を利用した場合、利用したボイストレーニング機能の項目を、当該歌唱者情報に関連付けて前記記憶部に記憶させる第２の記憶処理部と、
ある歌唱者がカラオケ歌唱を行った際に取得された特徴情報と同一または類似する別の歌唱者の特徴情報が前記記憶部に記憶されているかを判定する判定部と、
前記同一または類似する別の歌唱者の特徴情報が記憶されていると判定された場合、当該特徴情報に関連付けられている前記項目を表示部に表示させる表示制御部と、
を有することを特徴とするカラオケ装置。
【請求項２】
前記歌唱音声の巧拙を評価して採点結果を算出する採点部と、
歌唱者が楽曲を歌唱した歌唱時刻及びその採点結果を前記歌唱者情報に関連付けて前記記憶部に記憶させる第３の記憶処理部と、
を更に有し、
前記第２の記憶処理部は、前記ボイストレーニング機能を利用したボイストレーニング時刻を前記項目に関連付けて記憶させ、
前記判定部は、前記同一または類似する別の歌唱者の特徴情報が記憶されていると判定した場合、前記歌唱時刻及び前記ボイストレーニング時刻に基づいて、当該特徴情報に関連付けられている前記項目のうち、前記採点結果がアップする間に利用された項目があるかどうかを判定し、
前記表示制御部は、前記採点結果がアップする間に利用された項目があると判定された場合、当該項目を前記表示部に表示させることを特徴とする請求項１記載のカラオケ装置。
【請求項３】
前記歌唱音声の巧拙を評価して採点結果を算出する採点部と、
歌唱者が歌唱した楽曲を示す楽曲情報、当該楽曲を歌唱した歌唱時刻及びその採点結果を前記歌唱者情報に関連付けて前記記憶部に記憶させる第３の記憶処理部と、
を更に有し、
前記第２の記憶処理部は、前記ボイストレーニング機能を利用したボイストレーニング時刻を前記項目に関連付けて記憶させ、
前記判定部は、ある歌唱者がカラオケ歌唱を行った際に取得した特徴情報と同一または類似する別の歌唱者の特徴情報が前記記憶部に記憶されていると判定した場合、ある歌唱者が歌唱した楽曲と同じ楽曲を示す楽曲情報が当該別の歌唱者を示す歌唱者情報に関連付けられているかどうか、及び前記歌唱時刻及び前記ボイストレーニング時刻に基づいて、当該特徴情報に関連付けられている前記項目のうち、前記同じ楽曲の採点結果がアップする間に利用された項目があるかどうかを判定し、
前記表示制御部は、前記同じ楽曲を示す楽曲情報が別の歌唱者を示す歌唱者情報に関連付けられており、且つ前記同じ楽曲の採点結果がアップする間に利用された項目があると判定された場合、当該項目を前記表示部に表示させることを特徴とする請求項１記載のカラオケ装置。
【請求項４】
前記表示制御部は、前記項目と併せて前記採点結果がどれくらいアップしたかを示す値を前記表示部に表示させることを特徴とする請求項２または３記載のカラオケ装置。
【発明の詳細な説明】
【技術分野】
【０００１】
本発明はカラオケ装置に関する。
【０００２】
カラオケ装置は、カラオケ楽曲を演奏する以外にも様々な機能を有している。たとえば、カラオケ装置はボイストレーニング機能を備えている。
【０００３】
ボイストレーニング機能は、所定の項目（たとえば、「音程」、「リズム」や「ビブラート」、「しゃくり」、「こぶし」などのテクニック）について個別に練習することによって、カラオケ歌唱のスキルを向上させるための機能である。
【０００４】
特許文献１には、このようなボイストレーニング機能を有するカラオケ装置が開示されている。
【先行技術文献】
【特許文献】
【０００５】
【特許文献１】特開２００７−３２２９３４号公報
【発明の概要】
【発明が解決しようとする課題】
【０００６】
ところで、上述の通り、カラオケ装置は様々な機能を有している。そのため、一般の歌唱者は、カラオケ装置にボイストレーニング機能が備わっていること自体を知らない場合が多い。従って、ボイストレーニング機能が有効に活用されていない。
【０００７】
本発明の目的は、歌唱者に対してボイストレーニング機能の項目を提示することが可能なカラオケ装置を提供することにある。
【課題を解決するための手段】
【０００８】
上記目的を達成するための主たる発明は、歌唱練習を行うための複数の項目を含むボイストレーニング機能を有するカラオケ装置であって、楽曲の演奏に合わせて歌唱者がカラオケ歌唱を行った際に得られる歌唱音声に基づいて、当該歌唱者の歌唱に関する特徴を示す特徴情報を取得する取得部と、取得された前記特徴情報を、当該歌唱者を示す歌唱者情報に関連付けて記憶部に記憶させる第１の記憶処理部と、前記記憶部に記憶されている歌唱者情報が示す歌唱者が前記ボイストレーニング機能を利用した場合、利用したボイストレーニング機能の項目を、当該歌唱者情報に関連付けて前記記憶部に記憶させる第２の記憶処理部と、ある歌唱者がカラオケ歌唱を行った際に取得された特徴情報と同一または類似する別の歌唱者の特徴情報が前記記憶部に記憶されているかを判定する判定部と、前記同一または類似する別の歌唱者の特徴情報が記憶されていると判定された場合、当該特徴情報に関連付けられている前記項目を表示部に表示させる表示制御部とを有することを特徴とするカラオケ装置である。
本発明の他の特徴については、後述する明細書及び図面の記載により明らかにする。
【発明の効果】
【０００９】
本発明によれば、歌唱者に対してボイストレーニング機能の項目を提示することができる。
【図面の簡単な説明】
【００１０】
【図１】第１実施形態に係るカラオケ装置の概略を示す図である。
【図２】第１実施形態に係るカラオケ本体のハードウェア構成例を示す図である。
【図３】第１実施形態に係るカラオケ本体のソフトウェア構成例を示す図である。
【図４】第１実施形態に係るテーブルデータの例を示す図である。
【図５Ａ】第１実施形態に係るカラオケ装置の処理を示すフローチャートである。
【図５Ｂ】第１実施形態に係るカラオケ装置の処理を示すフローチャートである。
【図６】第２実施形態に係るカラオケ本体のソフトウェア構成例を示す図である。
【図７】第２実施形態に係るテーブルデータの例を示す図である。
【図８Ａ】第２実施形態に係るカラオケ装置の処理を示すフローチャートである。
【図８Ｂ】第２実施形態に係るカラオケ装置の処理を示すフローチャートである。
【図９】第３実施形態に係るテーブルデータの例を示す図である。
【図１０Ａ】第３実施形態に係るカラオケ装置の処理を示すフローチャートである。
【図１０Ｂ】第３実施形態に係るカラオケ装置の処理を示すフローチャートである。
【図１１】その他の例に係るテーブルデータの例を示す図である。
【図１２】その他の例に係るテーブルデータの例を示す図である。
【発明を実施するための形態】
【００１１】
後述する明細書及び図面の記載から、少なくとも以下の事項が明らかとなる。
【００１２】
歌唱練習を行うための複数の項目を含むボイストレーニング機能を有するカラオケ装置であって、楽曲の演奏に合わせて歌唱者がカラオケ歌唱を行った際に得られる歌唱音声に基づいて、当該歌唱者の歌唱に関する特徴を示す特徴情報を取得する取得部と、取得された前記特徴情報を、当該歌唱者を示す歌唱者情報に関連付けて記憶部に記憶させる第１の記憶処理部と、前記記憶部に記憶されている歌唱者情報が示す歌唱者が前記ボイストレーニング機能を利用した場合、利用したボイストレーニング機能の項目を、当該歌唱者情報に関連付けて前記記憶部に記憶させる第２の記憶処理部と、ある歌唱者がカラオケ歌唱を行った際に取得された特徴情報と同一または類似する別の歌唱者の特徴情報が前記記憶部に記憶されているかを判定する判定部と、前記同一または類似する別の歌唱者の特徴情報が記憶されていると判定された場合、当該特徴情報に関連付けられている前記項目を表示部に表示させる表示制御部と、を有することを特徴とするカラオケ装置が明らかとなる。このようなカラオケ装置によれば、歌唱者に対してボイストレーニング機能の項目を提示することができる。
【００１３】
また、前記歌唱音声の巧拙を評価して採点結果を算出する採点部と、歌唱者が楽曲を歌唱した歌唱時刻及びその採点結果を前記歌唱者情報に関連付けて前記記憶部に記憶させる第３の記憶処理部と、を更に有し、前記第２の記憶処理部は、前記ボイストレーニング機能を利用したボイストレーニング時刻を前記項目に関連付けて記憶させ、前記判定部は、前記同一または類似する別の歌唱者の特徴情報が記憶されていると判定した場合、前記歌唱時刻及び前記ボイストレーニング時刻に基づいて、当該特徴情報に関連付けられている前記項目のうち、前記採点結果がアップする間に利用された項目があるかどうかを判定し、前記表示制御部は、前記採点結果がアップする間に利用された項目があると判定された場合、当該項目を前記表示部に表示させることを特徴とするカラオケ装置が明らかとなる。このようなカラオケ装置によれば、実際に歌唱スキルのアップに効果があったボイストレーニング機能の項目を提示できる。
【００１４】
また、前記歌唱音声の巧拙を評価して採点結果を算出する採点部と、歌唱者が歌唱した楽曲を示す楽曲情報、当該楽曲を歌唱した歌唱時刻及びその採点結果を前記歌唱者情報に関連付けて前記記憶部に記憶させる第３の記憶処理部と、を更に有し、前記第２の処理部は、前記ボイストレーニング機能を利用したボイストレーニング時刻を前記項目に関連付けて記憶させ、前記判定部は、ある歌唱者がカラオケ歌唱を行った際に取得した特徴情報と同一または類似する別の歌唱者の特徴情報が前記記憶部に記憶されていると判定した場合、ある歌唱者が歌唱した楽曲と同じ楽曲を示す楽曲情報が当該別の歌唱者を示す歌唱者情報に関連付けられているかどうか、及び前記歌唱時刻及び前記ボイストレーニング時刻に基づいて、当該特徴情報に関連付けられている前記項目のうち、前記同じ楽曲の採点結果がアップする間に利用された項目があるかどうかを判定し、前記表示制御部は、前記同じ楽曲を示す楽曲情報が別の歌唱者を示す歌唱者情報に関連付けられており、且つ前記同じ楽曲の採点結果がアップする間に利用された項目があると判定された場合、当該項目を前記表示部に表示させることを特徴とするカラオケ装置が明らかとなる。このようなカラオケ装置によれば、実際に歌唱スキルのアップに効果があったボイストレーニング機能の項目をより正確に提示できる。
【００１５】
また、前記表示制御部は、前記項目と併せて前記採点結果がどれくらいアップしたかを示す値を前記表示部に表示させることを特徴とするカラオケ装置が明らかとなる。このようなカラオケ装置によれば、歌唱者は提示されたボイストレーニング機能による効果を具体的な値として把握することができる。
【００１６】
＜第１実施形態＞
図１〜図５Ｂを参照して、第１実施形態に係るカラオケ装置１について説明する。
【００１７】
＝＝カラオケ装置＝＝
（ハードウェア構成）
カラオケ装置１は、カラオケ演奏及び歌唱者が歌唱を行うための装置である。図１に示すように、カラオケ装置１は、カラオケ本体１０、スピーカ２０、表示装置３０、マイク４０、及びリモコン装置５０を備える。
【００１８】
カラオケ本体１０は、選択された楽曲の演奏制御、歌詞や背景映像等の表示制御、マイク４０を通じて入力された歌唱音声信号の処理といった、カラオケ歌唱に関する各種の制御を行う。図２はカラオケ本体１０のハードウェア構成例を示す図である。カラオケ本体１０は、制御部１１、通信部１２、記憶部１３、音響処理部１４、表示処理部１５及び操作部１６を備える。各構成はインターフェース（図示なし）を介してバスＢに接続されている。
【００１９】
制御部１１は、ＣＰＵ１１ａおよびメモリ１１ｂを備える。ＣＰＵ１１ａは、メモリ１１ｂに記憶された動作プログラムを実行することにより各種の制御機能を実現する。メモリ１１ｂは、ＣＰＵ１１ａに実行されるプログラムを記憶したり、プログラムの実行時に各種情報を一時的に記憶したりする記憶装置である。
【００２０】
通信部１２は、ルーター（図示なし）を介してカラオケ本体１０を通信回線に接続するためのインタフェースを提供する。
【００２１】
記憶部１３は、各種のデータを記憶する大容量の記憶装置であり、たとえばハードディスクドライブなどである。
【００２２】
記憶部１３は、カラオケ装置１によりカラオケ演奏を行うための楽曲データを複数記憶する。カラオケ装置１が楽曲データに基づいて楽曲を演奏することにより、利用者はカラオケの歌唱が可能となる。楽曲データは、楽曲毎に所定の楽曲ＩＤが付与されている。楽曲データは、ＭＩＤＩデータ、リファレンスデータ等が含まれる。ＭＩＤＩデータは、電子楽器の音源を自動演奏させるためのカラオケ演奏データであり、時系列のノート情報によって構成される。リファレンスデータは、利用者によるカラオケ歌唱を採点する際の基準となるデータであり、各音符の音高及び音長を表す時系列の情報によって構成されている。また、記憶部１３は、カラオケ楽曲に対応する歌詞テロップを表示装置３０等に表示させるための歌詞テロップデータ、及びカラオケ演奏時に表示装置３０等に表示される背景画像等の背景画像データを記憶する。楽曲ＩＤは「楽曲情報」の一例である。
【００２３】
また、本実施形態において、記憶部１３は、ボイストレーニングデータを記憶する。ボイストレーニングデータは、カラオケ装置１でボイストレーニング機能を実現するために使用されるデータである。
【００２４】
ボイストレーニングデータは、歌唱練習を行うための複数の項目ごとに設けられる。複数の項目は、たとえば、音程練習用の項目、リズム練習用の項目、ビブラート練習用の項目等、歌唱スキルを向上させるための具体的な内容を示す。たとえば、ビブラート練習用のボイストレーニングデータは、ビブラート箇所を有するメロディを含むＭＩＤＩデータ、ボイストレーニング中の背景画像データ、歌詞データ等を含む。各項目は、難易度等によって複数のステップが設けられていてもよい（たとえば、レベル１（簡単）〜レベル３（難しい））。
【００２５】
ボイストレーニングは、たとえば、リモコン装置５０のディスプレイに表示されるユーザーインターフェースで「ボイストレーニング」アイコンを選択し、表示された所定の項目を選ぶことで実行される。
【００２６】
音響処理部１４は、制御部１１の制御に基づき、カラオケ楽曲に対する演奏の制御およびマイク４０を通じて入力された音声信号の処理を行う。音響処理部１４は、たとえばＭＩＤＩ音源、ミキサ、アンプ（いずれも図示なし）を含む。ＭＩＤＩ音源は、楽曲データに基づいて楽音信号を生成する。ミキサは、当該音楽信号およびマイク４０から出力される音声信号を適当な比率でミキシングしてアンプに出力する。アンプは、ミキサからのミキシング信号を増幅し、放音信号としてスピーカ２０へ出力する。これにより、スピーカ２０からは放音信号に基づくカラオケ演奏音およびマイク４０からの歌唱音声が放音される。
【００２７】
表示処理部１５は、制御部１１の制御に基づき、表示装置３０やリモコン装置５０における各種表示に関する処理を行う。たとえば、表示処理部１５は、カラオケ演奏時における背景映像に歌詞テロップや各種アイコンが重ねられた映像を表示装置３０に表示させる制御を行う。また、本実施形態における表示処理部１５は、制御部１１の制御に基づいて、ボイストレーニングの項目を表示装置３０等に表示させる（詳細は後述）。
【００２８】
操作部１６は、パネルスイッチおよびリモコン受信回路などからなり、歌唱者によるカラオケ装置１のパネルスイッチあるいはリモコン装置５０の操作に応じて予約信号、演奏中止信号などの操作信号を制御部１１に対して出力する。制御部１１は、操作部１６からの操作信号を検出し、対応する処理を実行する。
【００２９】
スピーカ２０はカラオケ本体１０からの放音信号に基づいて放音するための構成である。表示装置３０はカラオケ本体１０からの信号に基づいて映像や画像を画面に表示するための構成である。マイク４０は歌唱者の音声（歌唱音声）をアナログの音声信号に変換してカラオケ本体１０に入力するための構成である。リモコン装置５０は、カラオケ本体１０に対する各種操作をおこなうための装置である。歌唱者はリモコン装置５０を用いてカラオケ装置１の起動、楽曲の予約等を行うことができる。リモコン装置５０のディスプレイには各種操作の指示入力を行うためのアイコンが表示される。表示装置３０またはリモコン装置５０のディスプレイは、「表示部」の一例である。
【００３０】
（ソフトウェア構成）
図３はカラオケ本体１０のソフトウェア構成例を示す図である。カラオケ本体１０は、取得部１００、第１の記憶処理部１１０、第２の記憶処理部１２０、判定部１３０及び表示管理部１４０を備える。取得部１００、第１の記憶処理部１１０、第２の記憶処理部１２０、判定部１３０及び表示管理部１４０は、ＣＰＵ１１ａがメモリ１１ｂに記憶されるプログラムを実行することにより実現される。
【００３１】
［取得部］
取得部１００は、楽曲の演奏に合わせて歌唱者がカラオケ歌唱を行った際に得られる歌唱音声に基づいて、当該歌唱者の歌唱に関する特徴を示す特徴情報を取得する。
【００３２】
特徴情報は、声の大きさ、メロディの抑揚、力強さ、音程、音域、リズム、ビブラート、しゃくり、こぶし、声質等を所定の基準で評価したものである。評価の方法としては、たとえば数値化がある。特徴情報を数値化する方法としては、特開２００９−１６２８１８号公報等に記載の技術を利用することができる。
【００３３】
また評価の方法として、具体的な数値でなく、段階評価であってもよい。たとえば、声の大きさについて「３０デシベル以下：レベル１」、「３１〜５０デシベル以下：レベル２」、「５１〜７０デシベル以下：レベル３」、「７１〜９０デシベル以下：レベル４」、「９１デシベル以上：レベル５」といった具合に予め５段階にレベル分けをしておく。そして、取得部１００は、得られた歌唱音声の大きさが８０デシベルの場合、当該歌唱者の声の大きさは「レベル４」であるとする。
【００３４】
或いは、ビブラート、しゃくりといった歌唱テクニックの項目については、その有無や数で評価してもよい。たとえば、取得部１００は、得られた歌唱音声にビブラートのテクニックを用いている箇所がいくつ含まれているかをカウントし、所定数以上の場合には、「ビブラートあり」とする。
【００３５】
上記の評価方法を組み合わせて特徴情報とすることでもよい。たとえば、声の大きさや音域等は数値化し、力強さやリズムは段階評価し、ビブラートやこぶしについては、その有無で評価することでもよい。
【００３６】
［第１の記憶処理部］
第１の記憶処理部１１０は、取得された特徴情報を、当該歌唱者を示す歌唱者情報に関連付けて記憶部１３に記憶させる。歌唱者情報は、特徴情報を取得した楽曲を歌唱した歌唱者を示す歌唱者ＩＤ等である。なお、歌唱者ＩＤはリモコン装置５０等から歌唱者に直接入力させたり、歌唱者ＩＤが記憶されたＩＣカードを読み取らせたりすることで取得できる。
【００３７】
［第２の記憶処理部］
第２の記憶処理部１２０は、記憶部１３に記憶されている歌唱者情報が示す歌唱者がボイストレーニング機能を利用した場合、利用したボイストレーニング機能の項目を、当該歌唱者情報に関連付けて記憶部１３に記憶させる。
【００３８】
たとえば、カラオケ装置１において歌唱者Ｘがリズム練習用の項目を選択してボイストレーニングをおこなったとする。この場合、第２の記憶処理部１２０は、歌唱者Ｘを示す歌唱者ＩＤが記憶部１３に記憶されているかを確認する。歌唱者Ｘを示す歌唱者ＩＤが記憶されている場合、第２の記憶処理部１２０は、所定の項目「リズム練習」を歌唱者Ｘの歌唱者ＩＤに関連付けて記憶させる。歌唱者が複数の項目を選択した場合には、それぞれの項目について歌唱者の歌唱者ＩＤに関連付けて記憶させる。図４は、歌唱者ＩＤ、各歌唱者の特徴情報、利用されたボイストレーニング項目（「ボイトレ項目」）を記録したテーブルデータＴＤ１の例を示す。
【００３９】
［判定部］
判定部１３０は、ある歌唱者がカラオケ歌唱を行った際に取得された特徴情報と同一または類似する別の歌唱者の特徴情報が記憶部１３に記憶されているかを判定する。
【００４０】
図４に示すテーブルデータＴＤ１を例に説明する。歌唱者Ａがカラオケ装置１を利用してある楽曲を歌唱したとする。この場合、取得部１００は、歌唱者Ａの特徴情報（声の大きさ：８０、力強さ：６０、リズム：３０、ビブラート：７０、こぶし：４０）を取得する。判定部１３０は、取得した歌唱者Ａの特徴情報と同一または類似する別の歌唱者の特徴情報がテーブルデータＴＤ１に記憶されていないかを判定する。この例では、歌唱者Ａの特徴情報は、テーブルデータＴＤ１に記憶されている歌唱者Ｘの特徴情報と同一である。この場合、判定部１３０は、歌唱者Ａの特徴情報が歌唱者Ｘの特徴情報と同一であったことを示す信号を表示管理部１４０に出力する。
【００４１】
なお、特徴情報は、完全に同一でなくてもよい。たとえば、テーブルデータＴＤ１において、歌唱者Ｘの声の大きさ（８０）に対し、歌唱者Ａの声の大きさが７５〜８５の範囲にある場合には、「歌唱者Ａと類似する歌唱者Ｘの特徴情報が記憶部１３に記憶されている」としてもよい。或いは、特徴情報を構成する複数の項目のうち、半数以上が同一または類似する場合を「歌唱者Ａと類似する歌唱者Ｘの特徴情報が記憶部１３に記憶されている」として判定してもよい。
【００４２】
また、第１の記憶処理部１１０は、新たに特徴情報を取得した歌唱者Ａの情報をテーブルデータに加える処理を行ってもよい。
【００４３】
［表示管理部］
表示管理部１４０は、表示処理部１５を制御し、同一または類似する別の歌唱者の特徴情報が記憶されていると判定された場合、当該特徴情報に関連付けられている項目をリモコン装置５０のディスプレイ等に表示させる。
【００４４】
たとえば、上記例において、判定部１３０は、歌唱者Ａの特徴情報と同一の特徴情報がテーブルデータＴＤ１に記憶されていると判定している。この場合、表示管理部１４０は、判定部１３０からの入力に基づいて、テーブルデータＴＤ１に記憶されている歌唱者Ｘの「ボイストレーニング項目」を参照し、該当する項目「リズム練習」を特定する。表示管理部１４０は、当該項目をリモコン装置５０のディスプレイに表示させる。
【００４５】
表示は、様々な方法で行うことができる。たとえば、表示管理部１４０は、表示処理部１５を制御し、リモコン装置５０のディスプレイに「貴方と同じ特徴を持った人は『リズム練習』のトレーニングを行っています」という文字を表示させ、併せてボイストレーニング機能を利用する画面に移行するためのアイコンを表示させることができる。表示処理部１５及び表示管理部１４０は、「表示制御部」の一例である。
【００４６】
なお、判定部１３０によって、ある歌唱者の特徴情報と同一または類似する別の歌唱者の特徴情報が記憶されていると判定された場合であっても、別の歌唱者がボイストレーニング機能を利用していない可能性もありうる。この場合、別の歌唱者の歌唱情報にはボイストレーニング機能の項目は関連付けられていない。従って、表示管理部１４０は、当該別の歌唱者情報に項目が関連付けられていない場合には項目の表示は行わない。
【００４７】
＝＝カラオケ装置１の動作について＝＝
次に、図５Ａ、図５Ｂを参照して本実施形態におけるカラオケ装置１の動作の具体例について述べる。図５Ａは、カラオケ装置１においてボイストレーニングを行う際の動作例を示すフローチャートである。図５Ｂは、カラオケ装置１において、項目を表示する際の動作例を示すフローチャートである。
【００４８】
［ボイストレーニングを行う際の動作］
歌唱者Ｘは、カラオケ装置１を介して所望の楽曲を選択し、カラオケ歌唱を行う（歌唱者Ｘによるカラオケ歌唱。ステップ１０）。
【００４９】
取得部１００は、ステップ１０で得られた歌唱音声に基づいて、歌唱者Ｘの特徴情報を取得する（歌唱者Ｘの特徴情報を取得。ステップ１１）。
【００５０】
第１の記憶処理部１１０は、ステップ１１で取得された特徴情報を、歌唱者Ｘを示す歌唱者ＩＤに関連付けて記憶部１３に記憶させる（特徴情報の記憶。ステップ１２）。
【００５１】
ここで、歌唱者Ｘがボイストレーニング機能を利用した場合、第２の処理部１２０は、歌唱者Ｘが利用したボイストレーニング機能の項目を、歌唱者Ｘの歌唱者ＩＤに関連付けて記憶部１３に記憶させる（ボイストレーニング項目の記憶。ステップ１３）。
【００５２】
カラオケ装置１は、これらの処理を繰り返すことにより、複数の歌唱者の歌唱特徴及び利用したボイストレーニング機能の項目が記憶されたテーブルデータを作成することができる。
【００５３】
［項目を表示する際の動作］
ここで、歌唱者Ａが、カラオケ装置１を介して所望の楽曲を選択し、カラオケ歌唱を行ったとする（歌唱者Ａによるカラオケ歌唱。ステップ２０）。
【００５４】
取得部１００は、ステップ２０で得られた歌唱音声に基づいて、歌唱者Ａの特徴情報を取得する（歌唱者Ａの特徴情報を取得。ステップ２１）。
【００５５】
判定部１３０は、ステップ２１で取得された特徴情報と同一の別の歌唱者の特徴情報が記憶部１３に記憶されているかを判定する（同一の特徴情報の判定。ステップ２２）。
【００５６】
同一の特徴情報が記憶部１３に記憶されていた場合（ステップ２３でＹの場合）、表示管理部１４０は、表示処理部１５を制御し、当該特徴情報に関連付けられている項目をリモコン装置５０のディスプレイに表示させる（項目の表示。ステップ２４）。
【００５７】
このように、本実施形態に係るカラオケ装置１によれば、歌唱者に対してボイストレーニング機能の項目を提示することができる。従って、ボイストレーニング機能を知らない歌唱者に対してもボイストレーニング機能の存在を周知できる。また、表示されるボイストレーニング機能の項目は、同一または類似の歌唱特徴に基づいて決定されている。従って、歌唱者は、自己と同じまたは類似の歌唱特徴を有する歌唱者が利用したボイストレーニング機能の項目を知ることができる。
【００５８】
＜第２実施形態＞
図６〜図８Ｂを参照して、第２実施形態に係るカラオケ装置１について説明する。なお、第１実施形態と同様の構成については詳細な説明を省略する。
【００５９】
ボイストレーニング機能は、苦手な項目を練習することにより、歌唱スキルを向上させるために利用されることが多い。従って、ある歌唱者に対してボイストレーニング機能の項目を提示する際には、歌唱スキルが向上する可能性のある項目を優先的に提示することが好ましい。このような状況に鑑み、本実施形態では、歌唱音声の巧拙を評価して得られる採点結果を利用し、表示する項目を選択するカラオケ装置１について述べる。
【００６０】
（ソフトウェア構成）
図６はカラオケ本体１０のソフトウェア構成例を示す図である。カラオケ本体１０は、取得部１００、第１の記憶処理部１１０、第２の記憶処理部１２０、判定部１３０、表示管理部１４０、採点部１５０、及び第３の記憶処理部１６０を備える。取得部１００、第１の記憶処理部１１０、第２の記憶処理部１２０、判定部１３０、表示管理部１４０、採点部１５０、及び第３の記憶処理部１６０は、ＣＰＵ１１ａがメモリ１１ｂに記憶されるプログラムを実行することにより実現される。
【００６１】
［採点部］
採点部１５０は、歌唱音声の巧拙を評価して採点結果を算出する。採点結果の算出は公知の手法を用いることができる。たとえば、採点部１５０は、歌唱者がある楽曲を歌唱した場合、当該歌唱に基づく歌唱音声信号を取得する。採点部１５０は、記憶部１３から対応する楽曲のリファレンスデータを読み出し、取得した歌唱音声信号とリファレンスデータとを比較することにより、音高に基づく採点結果を算出する。採点結果は、たとえば、０〜１００点の範囲の数値情報として算出される。なお、採点部１５０は、音高に基づく採点結果だけでなく、歌唱の音量やタイミング（リズム）、さらには歌唱技法の評価結果等を組み合わせた総合評価を採点結果として算出してもよい。採点部１５０で得られた歌唱技法等の評価結果は、取得部１００で取得した特徴情報の一部として利用してもよい。
【００６２】
［第３の記憶処理部］
第３の記憶処理部１６０は、歌唱者が楽曲を歌唱した歌唱時刻及びその採点結果を歌唱者情報に関連付けて記憶部１３に記憶させる。歌唱時刻は、たとえば楽曲の演奏が開始された時を示す年月日及び時刻である。
【００６３】
具体例として、歌唱者Ｘがある楽曲を歌唱した場合、採点部１５０は、当該歌唱の採点を行い、採点結果を算出する。第３の記憶処理部１６０は、歌唱者Ｘがある楽曲を歌唱した歌唱時刻を取得し、その採点結果と併せて歌唱者Ｘの歌唱者ＩＤに関連付けて記憶する。歌唱者Ｘが様々な楽曲を歌唱した場合に、各歌唱に対応する歌唱時刻及びその採点結果を順次記憶させる。
【００６４】
［第２の記憶処理部］
本実施形態に係る第２の記憶処理部１２０は、ボイストレーニング機能を利用したボイストレーニング時刻を項目に関連付けて記憶させる。ボイストレーニング時刻は、たとえばボイストレーニングの項目を選択した時を示す年月日及び時刻である。
【００６５】
具体例として、歌唱者Ｘがリズム練習用の項目を選択してボイストレーニングをおこなったとする。この場合、第２の記憶処理部１２０は、所定の項目「リズム練習」を歌唱者Ｘの歌唱者ＩＤに関連付けて記憶させるだけでなく、利用した時刻も併せて記憶させる。図７は、歌唱者ＩＤ、各歌唱者の特徴情報、利用されたボイストレーニング項目及び利用した時刻、歌唱時刻及びその採点結果を記録したテーブルデータＴＤ２の例を示す。
【００６６】
［判定部］
本実施形態に係る判定部１３０は、ある歌唱者の特徴情報と同一または類似する別の歌唱者の特徴情報が記憶されていると判定した場合、歌唱時刻及びボイストレーニング時刻に基づいて、当該特徴情報に関連付けられている項目のうち、採点結果がアップする間に利用された項目があるかどうかを判定する。
【００６７】
図７に示すテーブルデータＴＤ２を例に説明する。また、この例では、歌唱者Ａの特徴情報がテーブルデータＴＤ２に記憶されている歌唱者Ｘの特徴情報と同一であったとする。この場合、判定部１３０は、歌唱者Ｘに対応するデータに含まれている歌唱時刻とボイストレーニング時刻とを特定する。テーブルデータＴＤ２には、歌唱者Ｘに対応するデータとして、３つの歌唱時刻（（１）２０１５年８月３０日２０時００分、（２）２０１５年９月１２日２２時３０分、（３）２０１５年９月３０日１９時１５分）及び２つのボイストレーニング時刻（『リズム練習』の時刻：２０１５年９月１０日２０時４５分、『こぶし練習』の時刻：２０１５年９月２９日１７時３０分）が含まれている。また、歌唱時刻（１）における歌唱の採点結果は８０点、歌唱時刻（２）における歌唱の採点結果は８５点、歌唱時刻（３）における歌唱の採点結果は７５点である。
【００６８】
判定部１３０は、特定した歌唱時刻及びボイストレーニング時刻に基づいて、歌唱者Ｘの特徴情報に関連付けられている項目（リズム練習、こぶし練習）のうち、採点結果がアップ（８０点→８５点）している歌唱時刻（１）と歌唱時刻（２）の間に利用された項目（リズム練習）があると判定する。判定部１３０は、判定した項目（リズム練習）の情報を表示管理部１４０に出力する。なお、該当する項目が無い場合（たとえば、歌唱者がボイストレーニング機能を利用していない場合等）、判定部１３０は、表示管理部１４０に対して情報の出力を行わない。
【００６９】
［表示管理部］
本実施形態に係る表示管理部１４０は、表示処理部１５を制御し、採点結果がアップする間に利用された項目があると判定された場合、当該項目をリモコン装置５０のディスプレイ等に表示させる。
【００７０】
たとえば、上記例において、判定部１３０は、歌唱者Ａの特徴情報と同一の歌唱者Ｘの特徴情報がテーブルデータＴＤ２に記憶されており、且つ採点結果がアップする間に利用された項目（リズム練習）があると判定している。この場合、表示管理部１４０は、判定部１３０から入力された項目「リズム練習」をリモコン装置５０のディスプレイに表示させる。
【００７１】
なお、表示管理部１４０は、表示処理部１５を制御し、項目と併せて採点結果がどれくらいアップしたかを示す値をリモコン装置５０のディスプレイ等に表示させることも可能である。たとえば、上記例において、表示管理部１４０は、採点結果がアップした値（５点）を取得し、リモコン装置５０のディスプレイに「貴方と同じ特徴を持った人は『リズム練習』のトレーニングを行うことで採点値が『５点』アップしています」という文字を表示させることができる。
【００７２】
＝＝カラオケ装置１の動作について＝＝
次に、図８Ａ、図８Ｂを参照して本実施形態におけるカラオケ装置１の動作の具体例について述べる。図８Ａは、カラオケ装置１においてボイストレーニングを行う際の動作例を示すフローチャートである。図８Ｂは、カラオケ装置１において、項目を表示する際の動作例を示すフローチャートである。
【００７３】
［ボイストレーニングを行う際の動作］
歌唱者Ｘは、カラオケ装置１を介して所望の楽曲を選択し、カラオケ歌唱を行う（歌唱者Ｘによるカラオケ歌唱。ステップ３０）。
【００７４】
取得部１００は、ステップ３０で得られた歌唱音声に基づいて、歌唱者Ｘの特徴情報を取得する（歌唱者Ｘの特徴情報を取得。ステップ３１）。
【００７５】
第１の記憶処理部１１０は、ステップ３１で取得された特徴情報を、歌唱者Ｘを示す歌唱者ＩＤに関連付けて記憶部１３に記憶させる（特徴情報の記憶。ステップ３２）。
【００７６】
ここで、歌唱者Ｘがボイストレーニング機能を利用した場合、第２の処理部１２０は、歌唱者Ｘが利用したボイストレーニング機能の項目及びその項目を利用した時刻（ボイストレーニング時刻）を、歌唱者Ｘの歌唱者ＩＤに関連付けて記憶部１３に記憶させる（ボイストレーニング項目及び時刻の記憶。ステップ３３）。
【００７７】
更に、歌唱者Ｘがある楽曲を歌唱した場合、採点部１５０は、歌唱音声の巧拙を評価して採点結果を算出する（採点結果の算出。ステップ３４）。
【００７８】
第３の記憶処理部１６０は、ステップ３４で算出された採点結果，及びある楽曲を歌唱した歌唱時刻を歌唱者Ｘの歌唱者ＩＤと関連付けて記憶させる（歌唱時刻及び採点結果の記憶。ステップ３５）。
【００７９】
カラオケ装置１は、これらの処理を繰り返すことにより、複数の歌唱者の歌唱特徴、利用したボイストレーニング機能の項目、歌唱時刻及び採点結果が記憶されたテーブルデータを作成することができる。なお、上記ステップは必ずしもその順に行われる必要はない。たとえば、ボイストレーニング機能を利用する前に、ある楽曲の歌唱が行われた場合、その歌唱を採点して採点結果等を記憶することでもよい。
【００８０】
［項目を表示する際の動作］
ここで、歌唱者Ａが、カラオケ装置１を介して所望の楽曲を選択し、カラオケ歌唱を行ったとする（歌唱者Ａによるカラオケ歌唱。ステップ４０）。
【００８１】
取得部１００は、ステップ４０で得られる歌唱音声に基づいて、歌唱者Ａの特徴情報を取得する（歌唱者Ａの特徴情報を取得。ステップ４１）。
【００８２】
判定部１３０は、ステップ４１で取得された特徴情報と同一の別の歌唱者の特徴情報が記憶部１３に記憶されているかを判定する（同一の特徴情報の判定。ステップ４２）。
【００８３】
同一の特徴情報が記憶部１３に記憶されていた場合（ステップ４３でＹの場合）、判定部１３０は、記憶部１３に記憶されている歌唱時刻及びボイストレーニング時刻に基づいて、当該特徴情報に関連付けられている項目のうち、採点結果がアップする間に利用された項目があるかどうかを判定する（項目の判定。ステップ４４）。
【００８４】
該当する項目がある場合（ステップ４５でＹの場合）、表示管理部１４０は、表示処理部１５を制御し、該当する項目をリモコン装置５０のディスプレイに表示させる（項目の表示。ステップ４６）。
【００８５】
このように、本実施形態に係るカラオケ装置１によれば、実際にボイストレーニングの効果があった（採点結果が向上した）項目を歌唱者に対して選択的に提示することができる。従って、歌唱者は効果のあるボイストレーニング項目を把握できる。
【００８６】
＜第３実施形態＞
図９〜図１０Ｂを参照して、第３実施形態に係るカラオケ装置１について説明する。なお、第１実施形態等と同様の構成については詳細な説明を省略する。
【００８７】
ボイストレーニング機能の効果の有無を正確に確認するためには、ボイストレーニング前後で同じ楽曲を歌唱し、その採点結果を比較することが妥当である。すなわち、歌唱スキルが向上する可能性のあるボイストレーニング機能の項目を提示する際は、同じ楽曲の採点結果を利用することがより好ましい。本実施形態では、同じ楽曲の採点結果を利用し、表示する項目を選択するカラオケ装置１について述べる。
【００８８】
（ソフトウェア構成）
本実施形態に係るカラオケ本体１０は、第２実施形態と同様、取得部１００、第１の記憶処理部１１０、第２の記憶処理部１２０、判定部１３０、表示管理部１４０、採点部１５０、第３の記憶処理部１６０を備える。
【００８９】
［第３の記憶処理部］
本実施形態に係る第３の記憶処理部１６０は、歌唱者が歌唱した楽曲を示す楽曲情報、当該楽曲を歌唱した歌唱時刻及びその採点結果を歌唱者情報に関連付けて記憶部１３に記憶させる。
【００９０】
たとえば、歌唱者Ｘが楽曲αを歌唱した場合、第３の記憶処理部１６０は、楽曲αを示す楽曲ＩＤ、楽曲αの歌唱時刻及びその採点結果を歌唱者Ｘの歌唱者ＩＤに関連付けて記憶する。歌唱者Ｘが様々な楽曲を歌唱した場合に、各歌唱に対応する楽曲ＩＤ、歌唱時刻及びその採点結果を順次記憶させる。
【００９１】
［判定部］
本実施形態に係る判定部１３０は、ある歌唱者がカラオケ歌唱を行った際に取得した特徴情報と同一または類似する別の歌唱者の特徴情報が記憶部１３に記憶されていると判定した場合、ある歌唱者が歌唱した楽曲と同じ楽曲を示す楽曲情報が当該別の歌唱者を示す歌唱者情報に関連付けられているかどうかを判定する。また、判定部１３０は、歌唱時刻及びボイストレーニング時刻に基づいて、当該特徴情報に関連付けられている項目のうち、同じ楽曲の採点結果がアップする間に利用された項目があるかどうかを判定する。
【００９２】
図９に示すテーブルデータＴＤ３を例に説明する。この例では、歌唱者Ａが楽曲αを歌唱したとする。また、歌唱者Ａの特徴情報がテーブルデータＴＤ３に記憶されている歌唱者Ｘの特徴情報と同一であったとする。この場合、判定部１３０は、歌唱者Ｘに対応するデータ中に楽曲αを示す楽曲情報が関連付けられているかを判定する。ここでは、楽曲αを示す楽曲情報が関連付けられていたとする。
【００９３】
更に、判定部１３０は、歌唱者Ｘに対応するデータに含まれている楽曲αの歌唱時刻とボイストレーニング時刻とを特定する。テーブルデータＴＤ３には、歌唱者Ｘに対応するデータとして、楽曲αを歌唱した２つの歌唱時刻（（１）：２０１５年９月１０日１９時００分、（２）：２０１５年９月２５日２０時３０分）及び２つのボイストレーニング時刻（『リズム練習』の時刻：２０１５年９月１０日１８時３０分、『こぶし練習』の時刻：２０１５年９月２５日１８時３０分）が含まれている。また、歌唱時刻（１）における歌唱の採点結果は７０点、歌唱時刻（２）における歌唱の採点結果は８５点である。
【００９４】
判定部１３０は、特定した歌唱時刻及びボイストレーニング時刻に基づいて、歌唱者Ｘの特徴情報に関連付けられている項目（リズム練習、こぶし練習）のうち、楽曲αの採点結果がアップ（７０点→８５点）している歌唱時刻（１）と歌唱時刻（２）の間に利用された項目（こぶし練習）があると判定する。判定部１３０は、判定した項目（こぶし練習）の情報を表示管理部１４０に出力する。なお、該当する項目が無い場合（たとえば、歌唱者がボイストレーニング機能を利用していない場合等）、判定部１３０は、表示管理部１４０に対して情報の出力を行わない。
【００９５】
［表示管理部］
本実施形態に係る表示管理部１４０は、表示処理部１５を制御し、同じ楽曲を示す楽曲情報が別の歌唱者を示す歌唱者情報に関連付けられており、且つ同じ楽曲の採点結果がアップする間に利用された項目があると判定された場合、当該項目をリモコン装置５０のディスプレイ等に表示させる。
【００９６】
たとえば、上記例において、判定部１３０は、歌唱者Ａの特徴情報と同一の歌唱者Ｘの特徴情報がテーブルデータＴＤ３に記憶されており、且つ同じ楽曲の採点結果がアップする間に利用された項目（こぶし練習）があると判定している。この場合、表示管理部１４０は、判定部１３０から入力された項目「こぶし練習」をリモコン装置５０のディスプレイに表示させる
【００９７】
＝＝カラオケ装置１の動作について＝＝
次に、図１０Ａ、図１０Ｂを参照して本実施形態におけるカラオケ装置１の動作の具体例について述べる。図１０Ａは、カラオケ装置１においてボイストレーニングを行う際の動作例を示すフローチャートである。図１０Ｂは、カラオケ装置１において、項目を表示する際の動作例を示すフローチャートである。
【００９８】
［ボイストレーニングを行う際の動作］
歌唱者Ｘは、カラオケ装置１を介して所望の楽曲を選択し、カラオケ歌唱を行う（歌唱者Ｘによるカラオケ歌唱。ステップ５０）。
【００９９】
取得部１００は、ステップ５０で得られた歌唱音声に基づいて、歌唱者Ｘの特徴情報を取得する（歌唱者Ｘの特徴情報を取得。ステップ５１）。
【０１００】
第１の記憶処理部１１０は、ステップ５１で取得された特徴情報を、歌唱者Ｘを示す歌唱者ＩＤに関連付けて記憶部１３に記憶させる（特徴情報の記憶。ステップ５２）。
【０１０１】
ここで、歌唱者Ｘがボイストレーニング機能を利用した場合、第２の処理部１２０は、歌唱者Ｘが利用したボイストレーニング機能の項目及びその項目を利用した時刻（ボイストレーニング時刻）を、歌唱者Ｘの歌唱者ＩＤに関連付けて記憶部１３に記憶させる（ボイストレーニング項目及び時刻の記憶。ステップ５３）。
【０１０２】
更に、歌唱者Ｘが楽曲αを歌唱した場合、採点部１５０は、歌唱音声の巧拙を評価して採点結果を算出する（採点結果の算出。ステップ５４）。
【０１０３】
第３の記憶処理部１６０は、歌唱された楽曲αの楽曲ＩＤ、ステップ５４で算出された採点結果、及び楽曲αを歌唱した歌唱時刻を歌唱者Ｘの歌唱者ＩＤと関連付けて記憶させる（楽曲ＩＤ、歌唱時刻及び採点結果の記憶。ステップ５５）。
【０１０４】
カラオケ装置１は、これらの処理を繰り返すことにより、複数の歌唱者の歌唱特徴、利用したボイストレーニング機能の項目、楽曲情報、歌唱時刻及び採点結果が記憶されたテーブルデータを作成することができる。
【０１０５】
［項目を表示する際の動作］
ここで、歌唱者Ａが、カラオケ装置１を介して楽曲αを選択し、カラオケ歌唱を行ったとする（歌唱者Ａによるカラオケ歌唱。ステップ６０）。
【０１０６】
取得部１００は、ステップ６０で得られた歌唱音声に基づいて、歌唱者Ａの特徴情報を取得する（歌唱者Ａの特徴情報を取得。ステップ６１）。
【０１０７】
判定部１３０は、ステップ６１で取得された特徴情報と同一の別の歌唱者の特徴情報が記憶部１３に記憶されているかを判定する（同一の特徴情報の判定。ステップ６２）。
【０１０８】
同一の特徴情報が記憶部１３に記憶されていた場合（ステップ６３でＹの場合）、判定部１３０は、歌唱者Ａが歌唱した楽曲αと同じ楽曲を示す楽曲情報が当該別の歌唱者を示す歌唱者情報に関連付けられているかどうかを判定する（楽曲の判定。ステップ６４）。
【０１０９】
同じ楽曲を示す楽曲情報が関連付けられていた場合（ステップ６５でＹの場合）、判定部１３０は、記憶部１３に記憶されている歌唱時刻及びボイストレーニング時刻に基づいて、当該特徴情報に関連付けられている項目のうち、楽曲αの採点結果がアップする間に利用された項目があるかどうかを判定する（項目の判定。ステップ６６）。
【０１１０】
該当する項目がある場合（ステップ６７でＹの場合）、表示管理部１４０は、表示処理部１５を制御し、該当する項目をリモコン装置５０のディスプレイに表示させる（項目の表示。ステップ６８）。
【０１１１】
このように、本実施形態に係るカラオケ装置１によれば、実際にボイストレーニングの効果があった（採点結果が向上した）項目を同じ楽曲の採点結果に基づいて選択的に提示することができる。従って、歌唱者に対し、実際に歌唱スキルのアップに効果があったボイストレーニング機能の項目をより正確に提示できる。
【０１１２】
＜その他＞
同じ歌唱者であっても楽曲によって得意・不得意があったり、歌唱ジャンルによっても歌唱方法が異なる場合がある。この場合、取得部１００で取得される歌唱特徴は異なる。このような場合、第１の記憶処理部１１０は、同じ歌唱者情報に対し、複数の特徴情報を関連付けて記憶させることが可能である。
【０１１３】
たとえば、歌唱者Ｘについて、楽曲αの歌唱と楽曲βの歌唱で異なる特徴情報が取得された場合を考える。この場合、第１の記憶処理部１１０は、図１１のテーブルデータＴＤ４に示すように、歌唱者Ｘの歌唱者ＩＤに対し、楽曲αの特徴情報と楽曲βの特徴情報をそれぞれ関連付ける。
【０１１４】
また、同じ特徴情報を有する歌唱者が複数存在する場合もありうる。一方、同じ特徴情報を有する歌唱者が同じボイストレーニング機能を利用しているとは限らない。たとえば、図１２のテーブルデータＴＤ５に示すように、歌唱者Ｘ１及び歌唱者Ｘｎは同じ特徴情報を有する。一方、ボイストレーニング機能の項目として、歌唱者Ｘ１は「リズム練習」、「ビブラート練習」を利用し、歌唱者Ｘｎは、「リズム練習」、「こぶし練習」を利用しているとする。
【０１１５】
この場合、表示管理部１４０は、項目を表示させる際に歌唱者Ｘ１及び歌唱者Ｘｎが利用した全ての項目（「リズム練習」、「ビブラート練習」、「こぶし練習」）を表示させてもよいし、重複する項目（「リズム練習」）だけを表示させてもよい。
【０１１６】
上記実施形態は、プログラムが前述した各種の処理をコンピュータ又はマイクロプロセッサに実行させることにより実現可能である。この場合、全ての処理をプログラムとして準備していてもよいし、一部の処理をハードウエアに処理させ残りの処理をプログラムとして準備していてもよい。また、実行可能なプログラムが記憶された非一時的なコンピューター可読媒体を用いて、コンピュータにプログラムを供給することも可能である。なお、非一時的なコンピュータの可読媒体の例は、磁気記録媒体、ＣＤ−ＲＯＭ等がある。
【０１１７】
上記実施形態は、例として提示したものであり、発明の範囲を限定するものではない。上記の構成は、適宜組み合わせて実施することが可能であり、発明の要旨を逸脱しない範囲で、種々の省略、置き換え、変更を行うことができる。上記実施形態やその変形は、発明の範囲や要旨に含まれると同様に、特許請求の範囲に記載された発明とその均等の範囲に含まれる。
【符号の説明】
【０１１８】
１  カラオケ装置
１０  カラオケ本体
１１  制御部
１３  記憶部
１５  表示処理部
３０  表示装置
５０  リモコン装置
１００  取得部
１１０  第１の記憶処理部
１２０  第２の記憶処理部
１３０  判定部
１４０  表示管理部
【図１】
0006546834.tif 000002
【図２】
0006546834.tif 000003
【図３】
0006546834.tif 000004
【図４】
0006546834.tif 000005
【図５Ａ】
0006546834.tif 000006
【図５Ｂ】
0006546834.tif 000007
【図６】
0006546834.tif 000008
【図７】
0006546834.tif 000009
【図８Ａ】
0006546834.tif 000010
【図８Ｂ】
0006546834.tif 000011
【図９】
0006546834.tif 000012
【図１０Ａ】
0006546834.tif 000013
【図１０Ｂ】
0006546834.tif 000014
【図１１】
0006546834.tif 000015
【図１２】
0006546834.tif 000016